(57)【特許請求の範囲】
【請求項１】
端子金具を挿入可能なキャビティが形成されているとともに、前記端子金具に接続された電線が引き出される後端部に、複数の仕切壁が並列に形成され、各仕切壁間に、前記キャビティと連続して配置されて前記電線が導入される電線導入溝が保有され、前記電線導入溝が、少なくとも後方及びそれに交差する電線導出方向に開放されているハウジングと、
前記ハウジングの後端部に装着され、前記各仕切壁の後端縁に対向して前記電線導入溝の後方を閉止するとともに、前記電線導入溝内の前記電線を前記電線導出方向に向けて強制的に屈曲させるカバーとを備えたコネクタであって、
前記各仕切壁の後端縁の一部に、凸部が後方へ向けて突出して形成され、
前記カバーに、前記ハウジングの装着時に前記凸部が嵌め込まれる凹部が形成され、
前記電線は、前記キャビティ内で前後方向に沿って配置される部分と、前記電線導入溝内で前後方向と交差する前記電線導出方向に沿って配置される部分とを有し、前記電線導入溝の入り口側を前記電線が屈曲させられる電線屈曲側とし、前記電線導入溝の出口側を前記電線が導出される電線導出側とした場合に、前記凸部が、前記各仕切壁の後端縁のうち、前記電線導入溝の前記電線導出側に配置されていることを特徴とするコネクタ。
【請求項２】
前記カバーが、板状の閉止板を有し、前記凹部が、前記閉止板を板厚方向に貫通する形態とされている請求項１記載のコネクタ。
【請求項３】
前記凹部が、各凸部と対応して複数形成され、前記閉止板が、各凹部によって全体として櫛歯状をなしている請求項２記載のコネクタ。
【発明の詳細な説明】
【技術分野】
【０００１】
本発明は、コネクタに関する。
【背景技術】
【０００２】
従来のコネクタが、特許文献１に開示されている。このものは、ハウジングと、カバーとを備えている。ハウジングには、端子金具が挿入され、ハウジングの後端部には、端子金具に接続された電線が引き出されている。
また、ハウジングの後端部には、複数の仕切壁が並列に形成され、各仕切壁間に、電線が屈曲状態で導入される電線導入溝が、後方及びそれに直交する電線導出方向に開放して形成されている。カバーは、ハウジングの後端部に装着されて、各仕切壁の後端縁に対向して当接し、これにより、電線導入溝の後方を閉止するとともに、各電線を電線導出方向に強制的に屈曲させるようになっている。
【先行技術文献】
【特許文献】
【０００３】
【特許文献１】特開平９−１９９２２０号公報
【発明の概要】
【発明が解決しようとする課題】
【０００４】
ところで、上記従来のコネクタの場合、カバーの装着前に、電線が仕切壁の後端縁に乗り上げられることがあり、さらにその状態で、カバーが装着されようとすることがある。そうすると、乗り上げられた電線が仕切壁とカバーとの間に噛み込まれて損傷したり、ハウジングに対するカバーのロックが半掛かりになってロックが外れたりする可能性がある。
【０００５】
本発明は上記のような事情に基づいて完成されたものであって、カバーとハウジングとの間に電線が噛み込まれるのを防止することを目的とする。
【課題を解決するための手段】
【０００６】
上記の目的を達成するための手段として、請求項１の発明は、端子金具を挿入可能なキャビティが形成されているとともに、前記端子金具に接続された電線が引き出される後端部に、複数の仕切壁が並列に形成され、各仕切壁間に、前記キャビティと連続して配置されて前記電線が導入される電線導入溝が保有され、前記電線導入溝が、少なくとも後方及びそれに交差する電線導出方向に開放されているハウジングと、前記ハウジングの後端部に装着され、前記各仕切壁の後端縁に対向して前記電線導入溝の後方を閉止するとともに、前記電線導入溝内の前記電線を前記電線導出方向に向けて強制的に屈曲させるカバーとを備えたコネクタであって、前記各仕切壁の後端縁の一部に、凸部が後方へ向けて突出して形成され、前記カバーに、前記ハウジングの装着時に前記凸部が嵌め込まれる凹部が形成され、前記電線は、前記キャビティ内で前後方向に沿って配置される部分と、前記電線導入溝内で前後方向と交差する前記電線導出方向に沿って配置される部分とを有し、前記電線導入溝の入り口側を前記電線が屈曲させられる電線屈曲側とし、前記電線導入溝の出口側を前記電線が導出される電線導出側とした場合に、前記凸部が、前記各仕切壁の後端縁のうち、前記電線導入溝の前記電線導出側に配置されているところに特徴を有する。
【０００８】
請求項２の発明は、請求項１に記載のものにおいて、前記カバーが、板状の閉止板を有し、前記凹部が、前記閉止板を板厚方向に貫通する形態とされているところに特徴を有する。
【０００９】
請求項３の発明は、請求項２に記載のものにおいて、前記凹部が、各凸部と対応して複数形成され、前記閉止板が、各凹部によって全体として櫛歯状をなしているところに特徴を有する。
【発明の効果】
【００１０】
＜請求項１の発明＞
各仕切壁の後端縁の一部に、凸部が後方へ向けて突出して形成されているため、凸部の形成分、電線の仕切壁への乗り上げ高さが増加する。その結果、電線の仕切壁への乗り上げが規制され、仕切壁とカバーとの間に電線が噛み込まれるのが防止される。
また、カバーに、ハウジングへの装着時に凸部が嵌め込まれる凹部が形成されているから、コネクタの前後長を凸部の突出量だけ増加させる必要がなく、コネクタの大型化が回避される。
【００１１】
また、凸部が、各仕切壁の後端縁のうち、電線の屈曲位置から離れた、電線導入溝の電線導出側に配置されているから、電線の乗り上げが起こり易い部位で電線の乗り上げが効率よく防止される。その結果、凸部の形成範囲を必要最小限に抑えることができ、構成の簡素化を図れる。
【００１２】
＜請求項２の発明＞
凹部が閉止板を板厚方向に貫通する形態とされているから、凹部を通して電線の乗り上げの有無を目視により確認できる。
【００１３】
＜請求項３の発明＞
閉止板が各凹部によって全体として櫛歯状をなしているから、櫛歯の向きを確認することで、ハウジングに対してカバーが正逆反転して装着されようとするのが回避される。
【図面の簡単な説明】
【００１４】
【図１】本発明の実施形態１に係るコネクタの背面図である。
【図２】図１のＸ−Ｘ断面図である。
【図３】コネクタの分解側面図である。
【図４】電線が引き出されたハウジングの背面図である。
【図５】端子金具に電線が接続されたハウジングの背面図である。
【発明を実施するための形態】
【００１５】
＜実施形態１＞
本発明の実施形態１を図１ないし図５によって説明する。本実施形態に係るコネクタ１０は、ハウジング２０及びカバー６０を備えている。
【００１６】
ハウジング２０は合成樹脂製であって、全体として扁平な角ブロック状をなしている。ハウジング２０内には、図５に示すように、複数のキャビティ２１が幅方向に一列となって形成されている。各キャビティ２１内には、端子金具５０が前後方向に沿って挿入され、正規挿入された端子金具５０は、各キャビティ２１の内面に突成されたランス２２によって弾性的に抜け止めされるようになっている。各端子金具５０は、一対のかしめ片５１を有し、各かしめ片５１によって電線９０の端末部にかしめ付けにより接続されている。
【００１７】
ハウジング２０の上面には、撓み可能なロックアーム２３が形成されている。ロックアーム２３は、前後方向に延出する形態であって、図示しない相手ハウジングを弾性的に係止することにより、両ハウジングを嵌合状態に保持する役割をはたす。また、ハウジング２０の上面の後端部には、一対の規制片２４が内向きに突出して形成されている。両規制片２４がロックアーム２３の後端両側縁部に当接することにより、ロックアーム２３の捲れ上がりが防止されるようになっている。さらに、ハウジング２０の両側面の後端部には、一対のロック部２５が突出して形成されている。
【００１８】
ハウジング２０の後端部は、図４に示すように、各端子金具５０に接続された電線９０が引き出される電線引出部２６とされている。電線引出部２６には、複数の仕切壁２７が幅方向に並列に形成され、各仕切壁２７間に、各端子金具５０に接続された電線９０が個別に導入される電線導入溝２８が保有されている。
【００１９】
各仕切壁２７は、上下方向（高さ方向）に沿って配置され、各キャビティ２１間を区画する隔壁に連続して配置されている。また、各電線導入溝２８は、上下方向に延出する形態とされ、各キャビティ２１と連続して配置されている。そして、各電線導入溝２８は、各仕切壁２７によって互いに区画されるとともに、ハウジング２０の上壁２９によって上方が閉止され、かつハウジング２０の両側壁３０によって両側方が閉止されている。言い換えれば、各電線導入溝２８は、後方及び下方の２方向に開放されている。ハウジング２０の下面には、電線導入溝２８の下端部における前方及び両側方を閉止する包囲壁３１が下方に突出して形成されている。包囲壁３１は、枠状をなし、後方に開放されている。
【００２０】
ここで、各電線９０は、カバー６０の装着に伴いカバー６０に押圧されて下方へ強制的に屈曲させられ、その状態で各電線導入溝２８内に収容保持されるようになっている。つまり、各電線９０は、キャビティ２１内で前後方向に沿って配置される部分と、各電線導入溝２８内で上下方向に沿って配置される部分とを有するようになっている。この場合、各電線導入溝２８の略上半部となる入り口側は、各電線９０が屈曲させられる電線屈曲側とされ、各電線導入溝２８の略下半部となる出口側は、各電線９０が導出させられる電線導出側とされる。
【００２１】
そして、各仕切壁２７の後端縁には、後方へ向けて部分的に突出する凸部３２が形成されている。凸部３２は、各仕切壁２７の後端縁のうち、電線導入溝２８の出口側に配置され、具体的には、各仕切壁２７の後端縁の略下半部に配置されている。そして、凸部３２は、矩形板状をなし、その両側面及び下端面が仕切壁２７における両側面及び下端面と段差なく連なっている。
【００２２】
続いてカバー６０について説明する。カバー６０は同じく合成樹脂製であって、全体として板状をなし、図１及び図３に示すように、幅方向に延びる閉止板６１と、閉止板６１の幅方向両端から前方へ突出する一対のロック片６２とを有している。両ロック片６２は、閉止板６１の幅方向両端を支点として撓み変形可能とされ、その支点寄りの位置に、略矩形のロック孔６３を有している。カバー６０のハウジング２０への装着時には、両ロック片６２の撓み動作を伴った後、ロック孔６３にロック部２５が弾性的に嵌り込み、カバー６０がハウジング２０に保持されるようになっている。
【００２３】
閉止板６１は、ハウジング２０への装着時に、電線引出部２６と対向して配置され、各電線導入溝２８の後方を閉止するようになっている。そして、閉止板６１には、ハウジング２０への装着時に、凸部３２が嵌り込む凹部６４が形成されている。凹部６４は、各凸部３２毎に対応して複数形成されている。具体的には、各凹部６４は、閉止板６１に幅方向に間隔をあけて複数配置され、閉止板６１を板厚方向（前後方向）に貫通するとともに、閉止板６１の下端に開口する縦長矩形状のスリット溝とされている。閉止板６１は、各凹部６４によって全体として櫛歯状を呈するようになっている。
【００２４】
次に、カバー６０のハウジング２０への装着方法及び作用効果について説明する。
図３に示すように、ハウジング２０の電線引出部２６から引き出される各電線９０を下方へ屈曲させ、その状態で、ハウジング２０の電線引出部２６に後方からカバー６０を被せ付ける。装着の過程では、図示しないガイド構造によってカバー６０の装着動作が案内され、両ロック片６２の撓み動作に起因する装着姿勢のぶれが矯正される。カバー６０がハウジング２０に正規装着されると、ロック片６２がロック部２５を弾性的に係止して、カバー６０のハウジング２０からの離脱が規制される。また、図１及び図２に示すように、カバー６０がハウジング２０に正規装着されると、閉止板６１が各電線９０を下方（電線導出方向）へ強制的に屈曲させ、電線導入溝２８内に各電線９０が屈曲状態で収容されるとともに、コネクタ１０の後端部における電線導入溝２８の下端（出口）から各電線９０が下方に導出させられる。
【００２５】
また、各仕切壁２７の略上半部に、閉止板６１が当接して配置されるとともに、各仕切壁２７の略下半部に突成された凸部３２が、各凹部６４に嵌め込まれる。このとき、各凸部３２は、各凹部６４を通して後方から視認可能となる。
【００２６】
ところで、カバー６０がハウジング２０に装着される前に電線９０が仕切壁２７の後端縁に乗り上げられ、それに気付かずにカバー６０がハウジング２０に装着されようとして、電線９０が仕切壁２７の後端縁とカバー６０の閉止板６１との間に噛み込まれることが懸念される。しかるに本実施形態によれば、各仕切壁２７の後端縁に凸部３２が突出して形成されているため、電線９０の乗り上げ高さが凸部３２の突出量だけ増加させられ、電線９０が仕切壁２７に乗り上げられるのが未然に回避される。その結果、カバー６０とハウジング２０との間に電線９０が噛み込まれるのが防止される。
【００２７】
とりわけ、各凸部３２が、各仕切壁２７の後端縁のうち、電線９０の屈曲位置から離れた、電線導入溝２８の出口側に配置されているから、仕切壁２７への電線９０の乗り上げが高確率で予想される部位に、凸部３２が効率よく配置されることとなる。その結果、凸部３２の形成範囲を必要最小限の範囲にとどめることができ、構成の簡素化を図れる。
【００２８】
また、凹部６４に凸部３２が嵌め込まれることにより、コネクタ１０の前後長が長くなるのが回避される。
【００２９】
また、凹部６４が閉止板６１を板厚方向に貫通する形態とされているから、万一、電線９０が仕切壁２７に乗り上げられていても、凹部６４を通して電線９０の乗り上げ状態を視認でき、そのまま放置される事態を回避できる。
【００３０】
さらに、閉止板６１が各凹部６４によって全体として櫛歯状をなしているから、櫛歯の向きを確認することにより、ハウジング２０に対してカバー６０が正逆反転して装着されようとするのが回避される。
【００３１】
＜他の実施形態＞
本発明は上記記述及び図面によって説明した実施形態に限定されるものではなく、例えば次のような実施形態も本発明の技術的範囲に含まれる。
（１）カバーに、複数の凸部が一括して嵌め込まれる単一の凹部が形成されるものであってもよい。
（２）凹部が、閉止板の前面のみに開口する有底の形状とされるものであってもよい。
（３）電線導入溝から導出される電線の向きが、前後方向に対して直交せずに交差するだけでもよい。
（４）カバーの閉止板が、ハウジングへの装着時に各仕切壁の後端縁に当接せずに近接するだけでもよい。
（５）電線導入溝が、上下両方向に開放されていてもよい。
（６）カバーがハウジングに対してヒンジを介して回動可能に一体に連結されるものであってもよい。
【符号の説明】
【００３２】
１０…コネクタ
２０…ハウジング
２７…仕切壁
２８…電線導入溝
３２…凸部
６０…カバー
６１…閉止板
６４…凹部
９０…電線
【図１】
0005471739.tif 000002
【図２】
0005471739.tif 000003
【図３】
0005471739.tif 000004
【図４】
0005471739.tif 000005
【図５】
0005471739.tif 000006